(57)【要約】【課題】操作者や企業等の主体にとっての利便性を向上させることができる有価媒体処理システム、有価媒体入金機、データ取扱装置および有価媒体処理方法を提供する。【解決手段】少なくとも有価媒体の入金処理が行われる有価媒体処理システム１は、有価媒体の入金を行った主体の識別情報を認証する認証部８６と、処理部により処理された有価媒体の入金情報および認証部８６により認証された識別情報を関連付けて記憶する記憶部８４と、記憶部８４に記憶されている情報に基づいて、同一の識別情報に対応する複数の入金情報を１つの媒体に記録することを指示する制御部８０とを備えている。【選択図】図６
2018190283.tif 000002
【特許請求の範囲】
【請求項１】
少なくとも有価媒体の入金処理が行われる有価媒体処理システムであって、
有価媒体の処理を行う処理部と、
有価媒体の入金を行った主体の識別情報を認証する認証部と、
前記処理部により処理された有価媒体の入金情報および前記認証部により認証された識別情報を関連付けて記憶する記憶部と、
前記記憶部に記憶されている情報に基づいて、同一の識別情報に対応する複数の入金情報を１つの媒体に記録することを指示する制御部と、
を備えた、有価媒体処理システム。
【請求項２】
同一の識別情報に対応する複数の入金情報が記録される媒体は持ち運び可能なものである、請求項１記載の有価媒体処理システム。
【請求項３】
媒体に対して印字を行う印字部を更に備え、
前記制御部は、同一の識別情報に対応する複数の入金情報を１つの媒体に記録する際に、同一の識別情報に対応する複数の入金情報を１つの媒体に印字するよう前記印字部を制御する、請求項１または２記載の有価媒体処理システム。
【請求項４】
前記制御部は、所定のタイミングで同一の識別情報に対応する複数の入金情報を１つの媒体に記録することを指示する、請求項１乃至３のいずれか一項に記載の有価媒体処理システム。
【請求項５】
所定のタイミングは、前記認証部により認証された識別情報が特定の識別情報であったときである、請求項４記載の有価媒体処理システム。
【請求項６】
前記制御部は、同一の識別情報に対応する複数の入金情報として、複数の入金情報における入金された有価媒体の合計金額および各々の入金情報における有価媒体の入金金額のうち少なくともいずれか一方または両方を１つの媒体に記録することを指示する、請求項１乃至５のいずれか一項に記載の有価媒体処理システム。
【請求項７】
前記有価媒体処理システムは少なくとも１つの有価媒体入金機を備えており、各々の前記有価媒体入金機に前記処理部が設けられており、
同一の前記有価媒体入金機において複数回の有価媒体の入金処理が行われたときに、前記記憶部は複数回の有価媒体の入金情報および前記認証部により認証された識別情報を入金処理毎に関連付けて記憶するようになっており、
前記制御部は、前記記憶部に記憶されている情報に基づいて、同一の識別情報に対応する、同一の前記有価媒体入金機における複数回の有価媒体の入金情報を１つの媒体に記録することを指示する、請求項１乃至６のいずれか一項に記載の有価媒体処理システム。
【請求項８】
前記有価媒体処理システムは複数の有価媒体入金機を備えており、
前記記憶部は、複数の前記有価媒体入金機の前記処理部により処理された有価媒体の入金情報および前記認証部により認証された識別情報を前記有価媒体入金機毎に関連付けて記憶するようになっており、
前記制御部は、前記記憶部に記憶されている情報に基づいて、同一の識別情報に対応する、複数の前記有価媒体入金機における有価媒体の入金情報を１つの媒体に記録することを指示する、請求項１乃至７のいずれか一項に記載の有価媒体処理システム。
【請求項９】
有価媒体の入金処理を行う際に、有価媒体の入金情報を他の有価媒体の入金処理に係る有価媒体の入金情報と関連付けるか否かを選択することができるようになっており、他の有価媒体の入金処理に係る有価媒体の入金情報と関連付けることが選択された場合においてのみ、有価媒体の入金情報が同一の識別情報に対応する他の入金情報とまとめて１つの媒体に記録されるようになっている、請求項１乃至８のいずれか一項に記載の有価媒体処理システム。
【請求項１０】
少なくとも有価媒体の入金処理を行う有価媒体入金機であって、
有価媒体の処理を行う処理部と、
有価媒体の入金を行った主体の識別情報を認証する認証部と、
有価媒体の入金情報および前記認証部により認証された識別情報を関連付けて記憶する記憶部と、
前記記憶部に記憶されている情報に基づいて、同一の識別情報に対応する複数の入金情報を１つの媒体に記録することを指示する制御部と、
を備えた、有価媒体入金機。
【請求項１１】
前記有価媒体入金機において複数回の有価媒体の入金処理が行われたときに、前記記憶部は複数回の有価媒体の入金情報および前記認証部により認証された識別情報を入金処理毎に関連付けて記憶するようになっており、
前記制御部は、前記記憶部に記憶されている情報に基づいて、同一の識別情報に対応する、複数回の有価媒体の入金情報を１つの媒体に記録することを指示する、請求項１０記載の有価媒体入金機。
【請求項１２】
前記有価媒体入金機には、他の有価媒体入金機から有価媒体の入金情報および有価媒体の入金を行った主体の識別情報が関連付けて送信されるようになっており、
前記記憶部は、前記処理部により処理された有価媒体の入金情報および前記認証部により認証された識別情報を関連付けて記憶するとともに、他の有価媒体入金機から送信された有価媒体の入金情報および有価媒体の入金を行った主体の識別情報を関連付けて記憶するようになっており、
前記制御部は、前記記憶部に記憶されている情報に基づいて、同一の識別情報に対応する、前記有価媒体入金機および他の有価媒体入金機を含む複数の有価媒体入金機に関連する有価媒体の入金情報を１つの媒体に記録することを指示する、請求項１０記載の有価媒体入金機。
【請求項１３】
少なくとも有価媒体の入金処理が行われる有価媒体入金機に関するデータの取扱いを行うデータ取扱装置であって、
有価媒体の入金情報および有価媒体の入金を行った主体の識別情報を関連付けて記憶する記憶部と、
前記記憶部に記憶されている情報に基づいて、同一の識別情報に対応する複数の入金情報を１つの媒体に記録することを指示する制御部と、
を備えた、データ取扱装置。
【請求項１４】
前記データ取扱装置は前記有価媒体入金機の一部として設けられている、請求項１３記載のデータ取扱装置。
【請求項１５】
前記データ取扱装置は前記有価媒体入金機とは別に設けられており、当該データ取扱装置には、前記有価媒体入金機から有価媒体の入金情報および有価媒体の入金を行った主体の識別情報が関連付けて送信されるようになっている、請求項１３記載のデータ取扱装置。
【請求項１６】
少なくとも有価媒体の入金処理が行われる有価媒体処理方法であって、
有価媒体の処理を行う工程と、
有価媒体の入金を行った主体の識別情報を認証する工程と、
有価媒体の入金情報および認証された識別情報を関連付けて記憶部に記憶させる工程と、
前記記憶部に記憶されている情報に基づいて、同一の識別情報に対応する複数の入金情報を１つの媒体に記録することを指示する工程と、
を備えた、有価媒体処理方法。
【発明の詳細な説明】
【技術分野】
【０００１】
本発明は、少なくとも貨幣等の有価媒体の入金処理が行われる有価媒体処理システム、このような有価媒体処理システムに設けられた有価媒体入金機およびデータ取扱装置、ならびにこのような有価媒体処理システムによる有価媒体処理方法に関する。
【背景技術】
【０００２】
従来より、金融機関、運輸機関、小売店等において、貨幣の入金処理を行う貨幣入金機が導入されている。このような貨幣入金機としては例えば特許文献１等に開示されるものが知られている。特許文献１に開示される貨幣入金機では、売上金等としての貨幣の入金処理が行われると、入金された貨幣の金額等が印字されたレシートが発行されるようになっている。ここで、売上金等としての貨幣の入金処理を行った操作者が、貨幣入金機を設置したユーザ企業と異なる所属の者（例えば、業務受託企業の従業員やアルバイト等）である場合には、発行されたレシートは取引上、領収書として扱われるようになる。この場合には、発行されたレシートに収入印紙を法律上貼り付ける必要がある。
【先行技術文献】
【特許文献】
【０００３】
【特許文献１】特開２０１６−１２６５７７号公報
【発明の概要】
【発明が解決しようとする課題】
【０００４】
例えば、貨幣入金機に入金されるべき売上金等としての貨幣の量が、当該貨幣入金機において１回の入金処理で取り扱うことができる貨幣の量を超える場合等においては、売上金等としての貨幣の入金処理を複数回に分ける必要がある。このような場合においては、１台の貨幣入金機で複数回の貨幣の入金処理を行うか、複数の貨幣入金機で貨幣の入金処理を並列に行う必要がある。そのため、貨幣の入金処理毎にレシートが発行されるため、複数枚のレシートが発行されるようになる。しかしながら、貨幣の入金処理毎に複数枚のレシートが発行されると、貨幣の入金処理を行う操作者や企業等にとっての利便性が悪くなるという問題がある。例えば、売上金等としての貨幣の入金処理を行った操作者が貨幣入金機を設置したユーザ企業と異なる所属の者である場合には、発行されたレシートの枚数分だけ収入印紙が必要になってしまう。
【０００５】
本発明は、このような点を考慮してなされたものであり、操作者や企業等の主体にとっての利便性を向上させることができる有価媒体処理システム、有価媒体入金機、データ取扱装置および有価媒体処理方法を提供することを目的とする。
【課題を解決するための手段】
【０００６】
本発明の有価媒体処理システムは、少なくとも有価媒体の入金処理が行われる有価媒体処理システムであって、有価媒体の処理を行う処理部と、有価媒体の入金を行った主体の識別情報を認証する認証部と、前記処理部により処理された有価媒体の入金情報および前記認証部により認証された識別情報を関連付けて記憶する記憶部と、前記記憶部に記憶されている情報に基づいて、同一の識別情報に対応する複数の入金情報を１つの媒体に記録することを指示する制御部と、を備えたことを特徴とする。
【０００７】
このような有価媒体処理システムによれば、有価媒体の入金情報および認証部により認証された識別情報を関連付けて記憶部に記憶させておき、記憶部に記憶されている情報に基づいて、同一の識別情報に対応する複数の入金情報を１つの媒体に記録することを指示することにより、操作者や企業等の主体にとっての利便性を向上させることができるようになる。
【０００８】
本発明の有価媒体処理システムにおいては、同一の識別情報に対応する複数の入金情報が記録される媒体は持ち運び可能なものであってもよい。
【０００９】
本発明の有価媒体処理システムは、媒体に対して印字を行う印字部を更に備え、前記制御部は、同一の識別情報に対応する複数の入金情報を１つの媒体に記録する際に、同一の識別情報に対応する複数の入金情報を１つの媒体に印字するよう前記印字部を制御するようになっていてもよい。
【００１０】
また、前記制御部は、所定のタイミングで同一の識別情報に対応する複数の入金情報を１つの媒体に記録することを指示するようになっていてもよい。
【００１１】
この場合、所定のタイミングは、前記認証部により認証された識別情報が特定の識別情報であったときであってもよい。
【００１２】
また、前記制御部は、同一の識別情報に対応する複数の入金情報として、複数の入金情報における入金された有価媒体の合計金額および各々の入金情報における有価媒体の入金金額のうち少なくともいずれか一方または両方を１つの媒体に記録することを指示するようになっていてもよい。
【００１３】
また、前記有価媒体処理システムは少なくとも１つの有価媒体入金機を備えており、各々の前記有価媒体入金機に前記処理部が設けられており、同一の前記有価媒体入金機において複数回の有価媒体の入金処理が行われたときに、前記記憶部は複数回の有価媒体の入金情報および前記認証部により認証された識別情報を入金処理毎に関連付けて記憶するようになっており、前記制御部は、前記記憶部に記憶されている情報に基づいて、同一の識別情報に対応する、同一の前記有価媒体入金機における複数回の有価媒体の入金情報を１つの媒体に記録することを指示するようになっていてもよい。
【００１４】
あるいは、前記有価媒体処理システムは複数の有価媒体入金機を備えており、前記記憶部は、複数の前記有価媒体入金機の前記処理部により処理された有価媒体の入金情報および前記認証部により認証された識別情報を前記有価媒体入金機毎に関連付けて記憶するようになっており、前記制御部は、前記記憶部に記憶されている情報に基づいて、同一の識別情報に対応する、複数の前記有価媒体入金機における有価媒体の入金情報を１つの媒体に記録することを指示するようになっていてもよい。
【００１５】
また、有価媒体の入金処理を行う際に、有価媒体の入金情報を他の有価媒体の入金処理に係る有価媒体の入金情報と関連付けるか否かを選択することができるようになっており、他の有価媒体の入金処理に係る有価媒体の入金情報と関連付けることが選択された場合においてのみ、有価媒体の入金情報が同一の識別情報に対応する他の入金情報とまとめて１つの媒体に記録されるようになっていてもよい。
【００１６】
本発明の有価媒体入金機は、少なくとも有価媒体の入金処理を行う有価媒体入金機であって、有価媒体の処理を行う処理部と、有価媒体の入金を行った主体の識別情報を認証する認証部と、有価媒体の入金情報および前記認証部により認証された識別情報を関連付けて記憶する記憶部と、前記記憶部に記憶されている情報に基づいて、同一の識別情報に対応する複数の入金情報を１つの媒体に記録することを指示する制御部と、を備えたことを特徴とする。
【００１７】
このような有価媒体入金機によれば、有価媒体の入金情報および認証部により認証された識別情報を関連付けて記憶部に記憶させておき、記憶部に記憶されている情報に基づいて、同一の識別情報に対応する複数の入金情報を１つの媒体に記録することを指示することにより、操作者や企業等の主体にとっての利便性を向上させることができるようになる。
【００１８】
また、前記有価媒体入金機において複数回の有価媒体の入金処理が行われたときに、前記記憶部は複数回の有価媒体の入金情報および前記認証部により認証された識別情報を入金処理毎に関連付けて記憶するようになっており、前記制御部は、前記記憶部に記憶されている情報に基づいて、同一の識別情報に対応する、複数回の有価媒体の入金情報を１つの媒体に記録することを指示するようになっていてもよい。
【００１９】
あるいは、前記有価媒体入金機には、他の有価媒体入金機から有価媒体の入金情報および有価媒体の入金を行った主体の識別情報が関連付けて送信されるようになっており、前記記憶部は、前記処理部により処理された有価媒体の入金情報および前記認証部により認証された識別情報を関連付けて記憶するとともに、他の有価媒体入金機から送信された有価媒体の入金情報および有価媒体の入金を行った主体の識別情報を関連付けて記憶するようになっており、前記制御部は、前記記憶部に記憶されている情報に基づいて、同一の識別情報に対応する、前記有価媒体入金機および他の有価媒体入金機を含む複数の有価媒体入金機に関連する有価媒体の入金情報を１つの媒体に記録することを指示するようになっていてもよい。
【００２０】
本発明のデータ取扱装置は、少なくとも有価媒体の入金処理が行われる有価媒体入金機に関するデータの取扱いを行うデータ取扱装置であって、有価媒体の入金情報および有価媒体の入金を行った主体の識別情報を関連付けて記憶する記憶部と、前記記憶部に記憶されている情報に基づいて、同一の識別情報に対応する複数の入金情報を１つの媒体に記録することを指示する制御部と、を備えたことを特徴とする。
【００２１】
このようなデータ取扱装置によれば、有価媒体の入金情報および有価媒体の入金を行った主体の識別情報を関連付けて記憶部に記憶させておき、記憶部に記憶されている情報に基づいて、同一の識別情報に対応する複数の入金情報を１つの媒体に記録することを指示することにより、操作者や企業等の主体にとっての利便性を向上させることができるようになる。
【００２２】
また、前記データ取扱装置は前記有価媒体入金機の一部として設けられていてもよい。
【００２３】
あるいは、前記データ取扱装置は前記有価媒体入金機とは別に設けられており、当該データ取扱装置には、前記有価媒体入金機から有価媒体の入金情報および有価媒体の入金を行った主体の識別情報が関連付けて送信されるようになっていてもよい。
【００２４】
本発明の有価媒体処理方法は、少なくとも有価媒体の入金処理が行われる有価媒体処理方法であって、有価媒体の処理を行う工程と、有価媒体の入金を行った主体の識別情報を認証する工程と、有価媒体の入金情報および認証された識別情報を関連付けて記憶部に記憶させる工程と、前記記憶部に記憶されている情報に基づいて、同一の識別情報に対応する複数の入金情報を１つの媒体に記録することを指示する工程と、を備えたことを特徴とする。
【００２５】
このような有価媒体処理方法によれば、有価媒体の入金情報および認証された識別情報を関連付けて記憶部に記憶させておき、記憶部に記憶されている情報に基づいて、同一の識別情報に対応する複数の入金情報を１つの媒体に記録することを指示することにより、操作者や企業等の主体にとっての利便性を向上させることができるようになる。
【発明の効果】
【００２６】
本発明の有価媒体処理システム、有価媒体入金機、データ取扱装置および有価媒体処理方法によれば、操作者や企業等の主体にとっての利便性を向上させることができる。
【図面の簡単な説明】
【００２７】
【図１】本発明の実施の形態に係る有価媒体処理システムが設置される店舗の構成を概略的に示す構成図である。
【図２】本発明の実施の形態に係る有価媒体処理システムにおける有価媒体処理装置の外観を示す斜視図である。
【図３】図２に示す有価媒体処理装置の内部構成を模式的に示す構成図である。
【図４】図２等に示す有価媒体処理装置における制御系の構成を示す制御ブロック図である。
【図５】図２等に示す有価媒体処理装置に用いられる表示機能付き記録媒体の構成を示す構成図である。
【図６】本発明の実施の形態に係る有価媒体処理システムの機能を示す機能ブロック図である。
【図７】変形例に係る有価媒体処理システムの機能を示す機能ブロック図である。
【図８】（ａ）（ｂ）は、図２等に示す有価媒体処理装置の印字部により印字が行われたレシートを示す図である。
【発明を実施するための形態】
【００２８】
以下、図面を参照して本発明の実施の形態について説明する。図１乃至図８は、本実施の形態による有価媒体処理システムやこの有価媒体処理システムに設けられた有価媒体処理装置等を示す図である。
【００２９】
まず、図１を用いて本実施の形態に係る有価媒体処理システム１が設置される店舗の構成について簡単に説明する。ショッピングセンター等の店舗において、様々な商品が陳列された商品棚が設置される直営店のフロント領域には、顧客が商品の精算を行うためのレジカウンターが複数設けられており、各レジカウンターにはレジ釣銭機２００およびＰＯＳレジスタ２５０の組合せ体が設置されている。なお、各レジカウンターにＰＯＳレジスタ２５０が設置されておらずレジ釣銭機２００のみが設置されるようになっていてもよい。顧客がこのようなレジカウンターで商品の精算を行う際に、店員は、顧客から受け取った商品の代金としての貨幣や商品券をレジ釣銭機２００に入金したり、釣銭としての貨幣をレジ釣銭機２００から出金して顧客に返却したりするようになっている。また、このような店舗における顧客の立ち入りが禁止された出納室（バックヤード領域）には、レジ釣銭機２００から回収された売上金としての貨幣を入金したり、レジ釣銭機用の釣銭準備金としての貨幣を出金したりする売上入金機が複数（図１に示す例では３つ）設置されている。また、店舗内に直営店とは別にテナントがある場合には、テナントのレジカウンターにもレジ釣銭機２００およびＰＯＳレジスタ２５０の組合せ体が設置されるようになる。なお、テナントのレジカウンターにＰＯＳレジスタ２５０が設置されておらずレジ釣銭機２００のみが設置されるようになっていてもよい。そして、直営店のフロント領域のレジカウンターに設置されたレジ釣銭機２００から回収された売上金としての貨幣に加えて、各テナントから持ち込まれた売上金としての貨幣が出納室の売上入金機に入金されるようになる。また、売上入金機に入金された売上金としての貨幣は、警送会社の収集担当者により回収されて当該警送会社の管理センターに運搬されるようになっている。なお、本実施の形態では、このような売上入金機として、紙幣、硬貨、商品券等を含む有価媒体の処理を一つの装置で行うような有価媒体処理装置１０が用いられるようになっている。また、複数の有価媒体処理装置１０により、本実施の形態に係る有価媒体処理システム１が構成されるようになっている。このような有価媒体処理システム１および有価媒体処理装置１０の構成や機能の詳細について図２乃至図７を用いて説明する。
【００３０】
図２および図３に示すように、本実施の形態による有価媒体処理装置１０は略直方体形状の筐体１２を有しており、この筐体１２内には、紙幣や商品券等の紙葉類の処理を行う紙葉類処理機構２０および硬貨の処理を行う硬貨処理機構５０がそれぞれ設けられている。なお、本実施の形態では、紙葉類処理機構２０および硬貨処理機構５０は、それぞれ、有価媒体の処理を行う処理部として機能するようになっている。また、図２に示すように、有価媒体処理装置１０を正面から見て右側部分には上方から順に紙葉類投入部２２、リジェクト部３０、および紙葉類集積部３２（後述）の前面開口を開閉するためのシャッタ３３がそれぞれ配設されている。また、有価媒体処理装置１０を正面から見て左側部分には硬貨投入部５２が配設されている。また、有価媒体処理装置１０の上側部分には例えばタッチパネル等からなる操作表示部８２が配設されている。また、有価媒体処理装置１０の前面下部には下部扉１４が設けられており、この下部扉１４を開くことにより、筐体１２内に収容された紙葉類収納カセット３８、４０（後述）や硬貨収納カセット６８、７０（後述）を筐体１２の外部に引き出すことができるようになっている。
【００３１】
次に、このような有価媒体処理装置１０における紙葉類処理機構２０および硬貨処理機構５０の構成の詳細についてそれぞれ図３を用いて以下に説明する。なお、図３における筐体１２の左側の側面が有価媒体処理装置１０の前面側（すなわち、図２に示すように有価媒体処理装置１０を手前側から見たときの正面側）となっており、図３における右方向が筐体１２の奥行き方向となっている。また、図３においては、紙葉類処理機構２０の構成と硬貨処理機構５０の構成とを１枚の図面に表示するため、両処理機構が前後に位置するように模式的に示されている。
【００３２】
図３に示すように、紙葉類処理機構２０において、紙葉類投入部２２には紙葉類繰出部２３が設けられており、この紙葉類投入部２２に積層状態で投入された紙幣や商品券等の紙葉類は紙葉類繰出部２３により１枚ずつ有価媒体処理装置１０の筐体１２内に繰り出されるようになっている。また、紙葉類投入部２２には紙葉類搬送部２４が接続されており、紙葉類繰出部２３により紙葉類投入部２２から繰り出された紙幣や商品券等の紙葉類は紙葉類搬送部２４により１枚ずつ搬送されるようになっている。また、紙葉類搬送部２４には紙葉類識別部２６が介設されており、紙葉類搬送部２４により搬送される紙幣や商品券等の紙葉類は紙葉類識別部２６によりその種類や金種等について識別が行われるようになっている。より詳細には、紙葉類識別部２６には撮像部としてイメージセンサ２７が設けられており、このイメージセンサ２７により紙幣や商品券等の紙葉類の表面が撮像されてその画像データが取得されるようになっている。また、紙葉類識別部２６は、イメージセンサ２７により取得された紙幣や商品券の画像データに基づいて、紙幣の記番号や商品券の券番号（以下、これらをまとめて有価媒体の識別番号ともいう）を取得するようになっている。
【００３３】
また、紙葉類搬送部２４における紙葉類識別部２６よりも下流側には消し込み部２８が設けられている。消し込み部２８は例えばインクジェットプリンタ等からなり、紙葉類識別部２６により識別が行われた紙葉類が商品券である場合には、このような商品券の表面に対して消し込み部２８により「済」印等の所定の内容が印字されるようになっている。このことにより、有価媒体処理装置１０の筐体１２内に投入されて紙葉類識別部２６により識別が行われた商品券について、所定の内容が印字されることにより、操作者はこのような商品券が紙葉類処理機構２０で処理済のものであることを視認することができるようになる。なお、消し込み部２８により商品券に印字される内容や位置は任意に設定することができるようになっている。また、商品券の種類に応じて、消し込み部２８による印字を行うか否かの設定を行うことができるようになっている。
【００３４】
また、図３に示すように、紙葉類搬送部２４にはリジェクト部３０が接続されており、紙葉類識別部２６により識別された紙葉類のうち、正常な紙幣ではないと識別された紙幣や予め設定された所定の種類のものではない商品券がリジェクト券として紙葉類搬送部２４からリジェクト部３０に送られてこのリジェクト部３０に集積されるようになっている。リジェクト部３０は有価媒体処理装置１０の筐体１２の外部から操作者がアクセス可能となっており、リジェクト部３０に集積されたリジェクト券は操作者により筐体１２の外部に取り出されるようになっている。
【００３５】
また、図３に示すように、紙葉類搬送部２４には紙葉類集積部３２が接続されており、紙葉類識別部２６により識別された紙葉類のうち予め設定された所定の種類の紙葉類が紙葉類搬送部２４から紙葉類集積部３２に送られてこの紙葉類集積部３２に集積されるようになっている。図２および図３に示すように、紙葉類集積部３２には、この紙葉類集積部３２の前面開口の開閉を行うシャッタ３３が設けられており、このシャッタ３３を開くことにより、操作者は紙葉類集積部３２に集積された紙葉類を有価媒体処理装置１０の筐体１２の外部に取り出すことができるようになっている。このようなシャッタ３３の開閉は後述する制御部８０により制御されるようになっている。なお、紙葉類集積部３２の前面開口にシャッタ３３を設置することを省略することもでき、この場合には、紙葉類集積部３２は有価媒体処理装置１０の筐体１２の外部から操作者がいつでもアクセス可能となる。
【００３６】
また、図３に示すように、紙葉類搬送部２４には第１の紙葉類一時保留部３４および第２の紙葉類一時保留部３６がそれぞれ接続されており、紙葉類識別部２６により識別された紙葉類のうち予め設定された所定の種類の紙葉類が紙葉類搬送部２４から第１の紙葉類一時保留部３４や第２の紙葉類一時保留部３６に送られてこれらの第１の紙葉類一時保留部３４や第２の紙葉類一時保留部３６に一時的に保留されるようになっている。また、第１の紙葉類一時保留部３４の下方には第１の紙葉類収納カセット３８が設けられているとともに、第２の紙葉類一時保留部３６の下方には第２の紙葉類収納カセット４０が設けられている。そして、第１の紙葉類一時保留部３４や第２の紙葉類一時保留部３６に紙葉類が一時的に保留された後、有価媒体処理装置１０の制御部８０（後述）に対して操作表示部８２（後述）により入金確定の指令が与えられると、第１の紙葉類一時保留部３４や第２の紙葉類一時保留部３６の底面が開放されてこれらの第１の紙葉類一時保留部３４や第２の紙葉類一時保留部３６に一時的に保留されている紙葉類が第１の紙葉類収納カセット３８や第２の紙葉類収納カセット４０に収納されるようになっている。これらの第１の紙葉類収納カセット３８や第２の紙葉類収納カセット４０は、有価媒体処理装置１０の筐体１２から取り外し可能となっており、第１の紙葉類収納カセット３８や第２の紙葉類収納カセット４０を筐体１２から取り外すことによりこれらの第１の紙葉類収納カセット３８や第２の紙葉類収納カセット４０に収納されている紙葉類を取り出すことができるようになっている。
【００３７】
また、第１の紙葉類一時保留部３４や第２の紙葉類一時保留部３６に紙葉類が一時的に保留された後、有価媒体処理装置１０の制御部８０（後述）に対して操作表示部８２（後述）により返却指令が与えられると、第１の紙葉類一時保留部３４や第２の紙葉類一時保留部３６に一時的に保留された紙葉類が有価媒体処理装置１０の筐体１２の外部に返却されるようになっている。ここで、第１の紙葉類一時保留部３４や第２の紙葉類一時保留部３６は、第１の紙葉類収納カセット３８や第２の紙葉類収納カセット４０から独立して有価媒体処理装置１０の筐体１２から手前側に引き出し可能となっている。具体的には、図２に示すように、有価媒体処理装置１０の前面において下部扉１４の右上箇所に一時保留部用扉１６が設けられており、第１の紙葉類一時保留部３４内の保留紙幣を回収する際には、この一時保留部用扉１６を開くことで第１の紙葉類一時保留部３４内の保留紙幣を取り出すことができるようになっている。一方、第２の紙葉類一時保留部３６内の保留紙幣を回収する際には、この一時保留部用扉１６を開き、第１の紙葉類一時保留部３４および第２の紙葉類一時保留部３６をそれぞれ筐体１２から手前側に引き出すことで第２の紙葉類一時保留部３６の上面から保留紙幣を取り出すことができるようになる。
【００３８】
次に、硬貨処理機構５０の構成について以下に説明する。図２および図３に示すように、硬貨処理機構５０には例えばホッパ等からなる硬貨投入部５２が設けられており、この硬貨投入部５２には硬貨搬送部５４が接続されている。ここで、硬貨投入部５２に投入された硬貨は硬貨搬送部５４により一層一列状態で１枚ずつ搬送されるようになっている。また、硬貨搬送部５４には硬貨識別部５６が設けられており、硬貨搬送部５４により搬送される硬貨は硬貨識別部５６によりその真偽や金種等について識別が行われるようになっている。
【００３９】
また、硬貨識別部５６よりも硬貨の搬送方向における下流側において、硬貨搬送部５４の搬送面には硬貨リジェクト口および２つの分岐口がそれぞれ設けられており、これらの硬貨リジェクト口や各分岐口にはソレノイド付き選別部材（図示せず）がそれぞれ設けられている。そして、各ソレノイド付き選別部材により、硬貨搬送部５４により搬送される硬貨が硬貨リジェクト口や各分岐口に選択的に入れられ、硬貨搬送部５４から分岐されるようになっている。
【００４０】
図３に示すように、硬貨搬送部５４における硬貨リジェクト口の下方には硬貨リジェクトシュート５８を介して硬貨リジェクト部６０が設けられている。ここで、硬貨識別部５６により識別された硬貨のうち、正常な硬貨ではないリジェクト硬貨は硬貨リジェクト口により硬貨搬送部５４から分岐されて硬貨リジェクトシュート５８に送られ、この硬貨リジェクトシュート５８により硬貨リジェクト部６０に導かれるようになっている。このような硬貨リジェクト部６０は有価媒体処理装置１０の筐体１２の外部に取り出し可能となっており、操作者は、硬貨リジェクト部６０を筐体１２の外部に取り出した後、この硬貨リジェクト部６０からリジェクト硬貨を取り出すようになっている。
【００４１】
また、硬貨搬送部５４に設けられた２つの分岐口の各々の下方には第１の硬貨搬送シュート６１および第２の硬貨搬送シュート６３を介して第１の硬貨一時保留部６２および第２の硬貨一時保留部６４がそれぞれ設けられており、所定の金種の硬貨がそれぞれ硬貨搬送部５４から分岐口により分岐されて第１の硬貨搬送シュート６１や第２の硬貨搬送シュート６３に送られ、第１の硬貨一時保留部６２や第２の硬貨一時保留部６４に一時的に保留されるようになっている。ここで、第１の硬貨一時保留部６２および第２の硬貨一時保留部６４はそれぞれ、上方および下方が開口された枠体と、この枠体の下方開口を選択的に閉じる底板とを有しており、枠体の下方開口を底板が閉じた状態で、第１の硬貨一時保留部６２や第２の硬貨一時保留部６４に硬貨が一時的に保留されるようになっている。
【００４２】
また、図３に示すように、第１の硬貨一時保留部６２や第２の硬貨一時保留部６４の下方には、硬貨返却箱６６、第１の硬貨収納カセット６８および第２の硬貨収納カセット７０がそれぞれ設けられており、第１の硬貨一時保留部６２や第２の硬貨一時保留部６４に一時的に保留された硬貨は、これらの硬貨返却箱６６、第１の硬貨収納カセット６８および第２の硬貨収納カセット７０のうち何れかに送られるようになっている。ここで、第１の硬貨収納カセット６８には第１の硬貨一時保留部６２に一時的に保留された硬貨が送られるようになっており、また、第２の硬貨収納カセット７０には第２の硬貨一時保留部６４に一時的に保留された硬貨が送られるようになっている。また、硬貨返却箱６６は２つの領域に区分けされている。そして、第１の硬貨一時保留部６２や第２の硬貨一時保留部６４に硬貨が一時的に保留された後、有価媒体処理装置１０の制御部８０（後述）に対して操作表示部８２（後述）により入金確定の指令が与えられると、第１の硬貨一時保留部６２や第２の硬貨一時保留部６４の枠体が水平方向に移動して、この枠体内にある硬貨がそれぞれ第１の硬貨収納カセット６８や第２の硬貨収納カセット７０に収納されるようになる。これらの第１の硬貨収納カセット６８や第２の硬貨収納カセット７０は、有価媒体処理装置１０の筐体１２から取り外し可能となっており、第１の硬貨収納カセット６８や第２の硬貨収納カセット７０を筐体１２から取り外すことによりこれらの第１の硬貨収納カセット６８や第２の硬貨収納カセット７０に収納されている硬貨を取り出すことができるようになっている。
【００４３】
また、第１の硬貨一時保留部６２や第２の硬貨一時保留部６４に硬貨が一時的に保留された後、有価媒体処理装置１０の制御部８０（後述）に対して操作表示部８２（後述）により返却指令が与えられると、第１の硬貨一時保留部６２や第２の硬貨一時保留部６４の底板が水平方向に移動して枠体の下部開口が開くことにより、この枠体内にある硬貨が硬貨返却箱６６に収納される。ここで、前述したように硬貨返却箱６６は２つの領域に区分けされており、第１の硬貨一時保留部６２および第２の硬貨一時保留部６４からそれぞれ送られた硬貨が、２つに区分けされた各領域に収納されるようになる。硬貨返却箱６６は有価媒体処理装置１０の筐体１２から前方に引き出し可能となっており、硬貨返却箱６６を筐体１２から前方に引き出すことにより操作者はこの硬貨返却箱６６から返却硬貨を取り出すことができるようになる。
【００４４】
また、本実施の形態では、紙葉類集積部３２、第１の紙葉類収納カセット３８、第２の紙葉類収納カセット４０、第１の硬貨収納カセット６８および第２の硬貨収納カセット７０からなる各有価媒体収納部へのアクセスが規制部７５（図４参照）により有価媒体収納部毎に規制されるようになっている。より詳細には、紙葉類収納カセット３８、４０や硬貨収納カセット６８、７０については、各収納カセットに対応してカセットロック部（図示せず）が設けられており、これらのカセットロック部により有価媒体処理装置１０の筐体１２内に各収納カセットを選択的にロックして取出不可とするようになっている。そして、このような規制部７５によるロックを解除することにより、有価媒体処理装置１０の筐体１２内から第１の紙葉類収納カセット３８のみを取り出す動作や、有価媒体処理装置１０の筐体１２内から第１の紙葉類収納カセット３８、第２の紙葉類収納カセット４０、第１の硬貨収納カセット６８、第２の硬貨収納カセット７０を一体的に取り出す動作等を選択的に行うことができるようになる。また、本実施の形態では、上述した規制部７５により紙葉類集積部３２へのアクセスも選択的に規制することができるようになっている。具体的には、規制部７５は、紙葉類集積部３２の前面開口を開閉するためのシャッタ３３の開閉を選択的に規制することにより、当該前面開口をシャッタ３３により閉じた場合には操作者が紙葉類集積部３２から紙葉類を筐体１２の外部に取り出せないようにし、一方、紙葉類集積部３２の前面開口をシャッタ３３が開いた場合には操作者が紙葉類集積部３２から紙葉類を筐体１２の外部に取り出せるようにしている。
【００４５】
また、図３に示すように、本実施の形態の有価媒体処理装置１０では、この有価媒体処理装置１０における各構成要素の制御を行う制御部８０が設けられている。より詳細には、制御部８０には紙葉類処理機構２０、硬貨処理機構５０、規制部７５等がそれぞれ接続されており、この制御部８０から各構成要素に指令信号が送られることにより、これらの各構成要素が制御されるようになっている。また、前述したように、有価媒体処理装置１０の上側部分には例えばタッチパネル等からなる操作表示部８２が配設されているが、この操作表示部８２も制御部８０に接続されており、このことにより、操作者は操作表示部８２によって制御部８０に対して様々な指令を与えたり、あるいは操作表示部８２における表示内容が制御部８０により制御されたりするようになっている。このような操作表示部８２には、例えば操作ガイダンスや入金処理時の取引データ、あるいは各収納カセット３８、４０、６８、７０や紙葉類集積部３２に収納された貨幣や商品券の在高等のデータが表示されるようになっている。
【００４６】
また、制御部８０には記憶部８４が接続されており、この記憶部８４には、入金処理時の取引データや、各収納カセット３８、４０、６８、７０や紙葉類集積部３２に収納された貨幣や商品券の在高等のデータが記憶されるようになっている。
【００４７】
また、制御部８０には、操作者の識別情報（具体的には、操作者の識別番号）を認証するための認証部８６が接続されている。認証部８６は、例えば有価媒体処理装置１０の上側部分における操作表示部８２の右側に配置され、操作者が携帯するＩＣカードの読み取りを行うＩＣカードリーダ８６ａ（図２参照）からなり、このようなＩＣカードリーダ８６ａで操作者が携帯するＩＣカードの読み取りを行うことによりこの操作者の識別情報が認証されるようになっている。なお、認証部８６としては、ＩＣカードリーダ８６ａの代わりに、操作者が携帯する磁気カードの読み取りを行う磁気カードリーダが用いられてもよい。また、操作者は、ＩＣカードをＩＣカードリーダ８６ａに読み取らせる代わりに、操作表示部８２や別途設けられたキーボード等（図示せず）により操作者ＩＤやパスワードを入力し、この入力された操作者ＩＤやパスワードに基づいて認証部８６が操作者の識別情報を認証するようになっていてもよい。また、認証部８６は、操作者の指紋や網膜をチェックするような生体認証を行うことにより当該操作者の識別情報を認証するようになっていてもよい。
【００４８】
また、本実施の形態の有価媒体処理システム１では、図５に示すような、持ち運び可能な表示機能付き記録媒体９６が用いられるようになっていてもよい。この場合には、有価媒体処理装置１０の上側部分における操作表示部８２の右側に、表示機能付き記録媒体９６に様々な情報を記録するとともに当該表示機能付き記録媒体９６に記録された情報を読み取るリーダライタ９２と、リーダライタ９２の下方に設けられ、表示機能付き記録媒体９６を載置するための載置台９４とがそれぞれ設けられるようになる。なお、図２ではＩＣカードリーダ８６ａおよびリーダライタ９２が別々に設けられている態様が示されているが、変形例に係る有価媒体処理システム１においてＩＣカードリーダ８６ａおよびリーダライタ９２が一体的に設けられていてもよい。また、図４に示すように、リーダライタ９２は制御部８０に接続されており、制御部８０がリーダライタ９２に指令を与えることにより表示機能付き記録媒体９６に様々な情報を記録させたり、リーダライタ９２により表示機能付き記録媒体９６から読み取られた情報が制御部８０に送られたりするようになっている。また、表示機能付き記録媒体９６はタッチパネルやモニタ等の表示部９６ａを有しており、有価媒体処理装置１０の入金処理時の取引データや、各収納カセット３８、４０、６８、７０や紙葉類集積部３２に収納された貨幣や商品券の在高等のデータ等の情報が表示部９６ａに表示されるようになっている。具体的には、有価媒体処理装置１０において有価媒体の入金処理が行われた場合には、有価媒体（具体的には、例えば貨幣）の金種毎の枚数や金額、入金処理の合計金額、有価媒体処理装置１０に入金された貨幣の回収元となる直営店のレジカウンターやテナントの識別情報、貨幣の入金処理を行った操作者の識別情報、貨幣の入金処理が行われた年月日等の情報がリーダライタ９２により表示機能付き記録媒体９６に書き込まれ、この書き込まれた情報が表示部９６ａに表示されるようになる。なお、図５では入金処理が行われた商品券に係る入金情報の表示が省略されているが、商品券に係る入金情報が貨幣に係る入金情報とともに表示部９６ａに表示されるようになっていてもよい。
【００４９】
また、制御部８０にはプリンタ等の印字部８８が接続されており、この印字部８８により、入金処理時の取引データや、有価媒体処理装置１０の締め処理や回収処理の際における各収納カセット３８、４０、６８、７０や紙葉類集積部３２に収納された貨幣や商品券の在高等のデータ等がレシートに印字されるようになっている。このような印字部８８による印字内容の詳細については後述する。
【００５０】
また、制御部８０には通信部９０が接続されており、この通信部９０により、有価媒体処理装置１０の制御部８０は上位装置や他の有価媒体処理装置１０等の外部装置に対して信号の送受信を行うことができるようになっている。具体的には、有価媒体処理装置１０の入金処理時の取引データが通信部９０を介して上位端末や他の有価媒体処理装置１０等に送信されたり、有価媒体処理装置１０の様々な設定情報等が通信部９０により上位端末等から受信されたりするようになっている。
【００５１】
本実施の形態の有価媒体処理システム１では、直営店やテナントのレジ釣銭機２００から売上金として回収された有価媒体の入金処理が行われる際に、例えば有価媒体処理装置１０に入金されるべき売上金としての貨幣や商品券等の有価媒体の量が、当該有価媒体処理装置１０において１回の入金処理で取り扱うことができる有価媒体の量を超える場合には、売上金等としての有価媒体の入金処理が複数回に分けられるようになる。具体的には、１つの有価媒体処理装置１０で複数回の有価媒体の入金処理を行ったり、複数の有価媒体処理装置１０で売上金等としての有価媒体の入金処理を並列で行ったりするようになる。また、本実施の形態の有価媒体処理システム１では、テナントのレジ釣銭機２００から売上金として回収された有価媒体の入金処理が行われる場合に、有価媒体処理装置１０の制御部８０は、認証部８６により認証された同一の識別情報に対応する複数の入金情報を１つの媒体に記録することを指示するようになっている。具体的には、制御部８０は、認証部８６により認証された同一の識別情報に対応する複数の入金情報を１枚のレシートに印字するよう印字部８８を制御するようになっている。このような動作について以下に詳述する。
【００５２】
図６に示すように、本実施の形態の有価媒体処理システム１では、複数の有価媒体処理装置１０のうちある一つの有価媒体処理装置１０は親機として機能し、その他の有価媒体処理装置１０は子機として機能するようになっている。そして、テナントのレジ釣銭機２００から売上金として回収された有価媒体の入金処理が行われる際に、例えば有価媒体処理装置１０に入金されるべき売上金としての貨幣や商品券等の有価媒体の量が、当該有価媒体処理装置１０において１回の入金処理で取り扱うことができる有価媒体の量を超える場合には、操作者は親機および子機を含む複数の有価媒体処理装置１０で売上金等としての有価媒体の入金処理を並列で行う。具体的には、親機および子機を含む複数の有価媒体処理装置１０の各々において、操作者はまず認証部８６により当該操作者の識別情報を認証させる。その後、操作者が有価媒体処理装置１０において貨幣や商品券等の有価媒体の入金処理を行うと、有価媒体の入金情報および認証部８６により認証された操作者の識別情報が関連付けられて記憶部８４に記憶される。また、子機としての有価媒体処理装置１０において有価媒体の入金処理が行われた場合には、記憶部８４に関連付けて記憶されている有価媒体の入金情報および操作者の識別情報が通信部９０により親機としての有価媒体処理装置１０に送信され、この送信された情報が親機としての有価媒体処理装置１０の記憶部８４に記憶されるようになる（図６において二点鎖線で示す矢印を参照）。
【００５３】
そして、複数の有価媒体処理装置１０における有価媒体の入金処理が完了すると、親機としての有価媒体処理装置１０の制御部８０は、この有価媒体処理装置１０の記憶部８４に記憶されている情報に基づいて、所定のタイミングで同一の操作者の識別情報に対応する複数の入金情報（具体的には、複数の有価媒体処理装置１０における有価媒体の入金情報）を１つの媒体に記録することを指示する。ここで、本実施の形態では、同一の操作者の識別情報に対応する複数の入金情報を１つの媒体に記録することを、親機および子機のうちどちらの有価媒体処理装置１０で行わせてもよい。なお、所定のタイミングとは、複数の有価媒体処理装置１０において有価媒体の入金処理が行われる際に、最後まで有価媒体の入金処理を行っていた有価媒体処理装置１０において有価媒体の入金処理が終了したタイミングである。この場合には、最後まで有価媒体の入金処理を行っていた有価媒体処理装置１０において同一の操作者の識別情報に対応する複数の入金情報が１つの媒体に記録されるようになる。また、この場合には、操作者の識別情報を認証部８６により改めて認証させる必要はない。なお、所定のタイミングはこのような例に限定されることはない。複数の有価媒体処理装置１０において有価媒体の入金処理が行われる際に、複数の有価媒体処理装置１０の各々において操作表示部８２に表示される入金処理の確定ボタンが操作者により押下されるが、最後に入金処理の確定ボタンが押下されたときが所定のタイミングであってもよい。この場合には、最後に入金処理の確定ボタンが押下された有価媒体処理装置１０において同一の操作者の識別情報に対応する複数の入金情報が１つの媒体に記録されるようになる。また、この場合にも、操作者の識別情報を認証部８６により改めて認証させる必要はない。また、更に別の例として、複数の有価媒体処理装置１０の各々において入金処理が確定される前にいずれかの一つの有価媒体処理装置１０の操作表示部８２に入金処理の確定ボタンが表示されるようになっており、この入金処理の確定ボタンが押下されたときが所定のタイミングであってもよい。この場合にも、入金処理の確定ボタンが押下された有価媒体処理装置１０において同一の操作者の識別情報に対応する複数の入金情報が１つの媒体に記録されるようになる。また、更に別の例として、複数の有価媒体処理装置１０の各々において入金処理が確定された後、有価媒体の入金処理を行った操作者（具体的には、複数の入金情報に関連付けられている識別情報に係る操作者）が認証部８６により改めて当該操作者の識別情報を認証させたときが所定のタイミングであってもよい。あるいは、複数の有価媒体処理装置１０の各々において入金処理が確定された後、有価媒体の入金処理を行った操作者とは別の管理者（例えば、テナントの店長）が、有価媒体の入金情報の出力を行うために認証部８６により当該管理者の識別情報を認証させたときであってもよい。また、所定の時刻（例えば、有価媒体の入金処理が行われた日の翌日の朝の営業開始前の時刻）に、制御部８０は同一の操作者の識別情報に対応する複数の入金情報を１つの媒体に記録することを指示するようにしてもよい。
【００５４】
ここで、同一の操作者の識別情報に対応する複数の入金情報が記録される媒体は持ち運び可能なものである。より詳細に説明すると、制御部８０は、同一の操作者の識別情報に対応する複数の入金情報を１つの媒体に記録する際に、同一の操作者の識別情報に対応する複数の入金情報を１つの媒体（具体的には、レシート）に印字するよう印字部８８を制御する。このことにより、１枚のレシートに複数の有価媒体処理装置１０における有価媒体の入金情報が印字されるようになる。ここで、同一の操作者の識別情報に対応する複数の入金情報として、複数の入金情報における入金された有価媒体の合計金額および各々の入金情報における有価媒体の入金金額のうち少なくともいずれか一方または両方が１枚のレシートに印字されるようになっている。図８（ａ）は、複数の有価媒体処理装置１０における各々の有価媒体の入金情報が有価媒体処理装置１０毎に１枚のレシートに印字されたときの印字内容を示す説明図である。また、図８（ｂ）は、複数の有価媒体処理装置１０における入金された有価媒体の入金情報の総計が１枚のレシートに印字されたときの印字内容を示す説明図である。なお、別の例として、図８（ａ）に示す印字内容および図８（ｂ）に示す印字内容の両方が１枚のレシートに印字されるようになっていてもよい。また、図８（ａ）（ｂ）に示すように、テナントの識別情報、操作者の識別情報、有価媒体の入金処理が行われた年月日、有価媒体の入金処理が行われた有価媒体処理装置１０の識別情報等に係る情報も印字部８８によりレシートに印字されるようになる。なお、図８（ａ）（ｂ）では入金処理が行われた商品券に係る入金情報の印字内容が省略されているが、商品券に係る入金情報が貨幣に係る入金情報とともにレシートに印字されるようになっていてもよい。
【００５５】
ここで、売上金としての貨幣等の有価媒体の入金処理を行った操作者が、各有価媒体処理装置１０を設置したユーザ企業と異なる所属の者である場合には、発行されたレシートは取引上、領収書として扱われるようになる。この場合には、発行されたレシートに収入印紙を法律上貼り付ける必要がある。具体的には、例えば直営店ではなくテナントのレジ釣銭機２００から貨幣等の有価媒体を回収し、この回収された有価媒体を各有価媒体処理装置１０に入金した場合には、図８（ａ）（ｂ）に示すような入金情報が印字されたレシートにおける参照符合Ａで示す箇所に収入印紙を貼り付ける必要がある。これに対して、本実施の形態では、複数の有価媒体処理装置１０における有価媒体の入金情報が１枚のレシートに印字されるため、複数の有価媒体処理装置１０において有価媒体の入金処理を行った場合でも必要となる収入印紙の数は１枚となり、よって各々の有価媒体処理装置１０において入金情報が印字されたレシートを発行する場合よりも収入印紙にかかる費用を節減することができるようになり、このため操作者にとっての利便性を向上させることができるようになる。
【００５６】
なお、同一の操作者の識別情報に対応する複数の入金情報を１つの媒体に記録する際に、同一の操作者の識別情報に対応する複数の入金情報が１枚のレシートに印字されることに加えて、または同一の操作者の識別情報に対応する複数の入金情報が１枚のレシートに印字される代わりに、同一の操作者の識別情報に対応する複数の入金情報が１枚の普通用紙（例えば、Ａ４サイズの用紙）や通帳に印字されるようになっていてもよい。
【００５７】
また、制御部８０は、同一の操作者の識別情報に対応する複数の入金情報を１つの媒体に記録する際に、同一の操作者の識別情報に対応する複数の入金情報を印字部８８によって１つの媒体（具体的には、レシート）に印字させる代わりに、または複数の入金情報を印字部８８によって１つの媒体に印字させることに加えて、同一の操作者の識別情報に対応する複数の入金情報をリーダライタ９２により表示機能付き記録媒体９６に記録させてもよい。この場合には、表示機能付き記録媒体９６に記憶された複数の入金情報が表示部９６ａに表示されるようになる。このため、操作者は表示部９６ａの表示内容に基づいて複数の入金情報を一目で確認することができるようになり、よって操作者にとっての利便性を向上させることができるようになる。
【００５８】
また、上記の説明では、例えば有価媒体処理装置１０に入金されるべき売上金としての貨幣や商品券等の有価媒体の量が、当該有価媒体処理装置１０において１回の入金処理で取り扱うことができる有価媒体の量を超える場合に、複数の有価媒体処理装置１０で売上金等としての有価媒体の入金処理を並列で行うような態様について述べたが、このような態様に限定されることはない。他の態様として、テナントにおいてレジ釣銭機２００に有価媒体を残しておきたくなく、有価媒体処理装置１０に有価媒体をこまめに入金したい場合がある。この場合に、有価媒体処理装置１０において有価媒体の入金処理を行う度に印字部８８によって有価媒体の入金情報をレシートに印字させた場合には、レシートに貼り付ける収入印紙の枚数が多くなってしまうという問題がある。このような問題を解決するために、本実施の形態では、同一の有価媒体処理装置１０において有価媒体の入金処理が行われる度に、有価媒体の入金情報および認証部８６により認証された操作者の識別情報を関連付けて記憶部８４に一旦記憶させておく。
【００５９】
そして、同一の有価媒体処理装置１０における複数回の有価媒体の入金処理が完了すると、この有価媒体処理装置１０の制御部８０は、記憶部８４に記憶されている情報に基づいて、所定のタイミングで同一の操作者の識別情報に対応する複数回の有価媒体の入金情報を１つの媒体に記録することを指示する。具体的には、制御部８０は、同一の操作者の識別情報に対応する複数の入金情報を１つの媒体に記録する際に、同一の操作者の識別情報に対応する複数回の有価媒体の入金情報を１つの媒体（具体的には、レシート）に印字するよう印字部８８を制御する。このことにより、同一の有価媒体処理装置１０における複数回の有価媒体の入金情報が１枚のレシートに印字されるようになる。
【００６０】
また、図６に示すように、本実施の形態では、親機としての有価媒体処理装置１０の制御部８０および記憶部８４によりデータ取扱装置２が構成されており、このようなデータ取扱装置２によって、所定のタイミングで同一の操作者の識別情報に対応する複数の入金情報を１つの媒体に記録することが指示されるようになっている。しかしながら、本実施の形態はこのようなデータ取扱装置２が親機としての有価媒体処理装置１０に設けられるような態様に限定されることはない。図７に示すように、変形例に係る有価媒体処理システム１ａにおいて、各有価媒体処理装置１０とは別にデータ取扱装置３が設けられており、このようなデータ取扱装置３によって、所定のタイミングで同一の操作者の識別情報に対応する複数の入金情報を１つの媒体に記録することが指示されるようになっていてもよい。このような変形例に係る有価媒体処理システム１ａについて図７を用いて説明する。なお、図７に示す有価媒体処理システム１ａを説明するにあたり、図２乃至図６に示す有価媒体処理システム１と同じ構成部材については同じ参照符合を付けてその説明を省略する。
【００６１】
図７に示すように、各有価媒体処理装置１０とは別に設けられたデータ取扱装置３は、制御部４と、この制御部４にそれぞれ接続された通信部５および記憶部６とを備えている。ここで、通信部５により、データ取扱装置３の制御部４は外部装置（具体的には、各有価媒体処理装置１０）に対して信号の送受信を行うことができるようになっている。このことにより、各有価媒体処理装置１０の通信部９０から送られた、認証部８６により認証された操作者の識別情報およびこの識別情報に関連付けられている有価媒体の入金情報が通信部５を介して制御部４に送られるようになる。また、各有価媒体処理装置１０の通信部９０から送られた、認証部８６により認証された操作者の識別情報およびこの識別情報に関連付けられている有価媒体の入金情報は記憶部６に記憶されるようになる。また、制御部４は、記憶部６に記憶されている情報に基づいて、所定のタイミングで同一の識別情報に対応する複数の入金情報を１つの媒体に記録することを指示する旨の指令を通信部５により複数の有価媒体処理装置１０のうちいずれかの有価媒体処理装置１０に送信するようになっている。
【００６２】
このような変形例に係る有価媒体処理システム１ａによれば、操作者が複数の有価媒体処理装置１０で売上金等としての有価媒体の入金処理を並列で行うと、当該操作者の識別情報およびこの識別情報に関連付けられる有価媒体の入金情報が各有価媒体処理装置１０の通信部９０からデータ取扱装置３に送信され、このデータ取扱装置３の記憶部６に記憶されるようになる。そして、複数の有価媒体処理装置１０における有価媒体の入金処理が完了すると、データ取扱装置３の制御部４は、記憶部６に記憶されている情報に基づいて、所定のタイミングで同一の操作者の識別情報に対応する複数の入金情報（具体的には、複数の有価媒体処理装置１０における有価媒体の入金情報）を１つの媒体に記録することを指示する旨の指令を通信部５により複数の有価媒体処理装置１０のうちいずれかの有価媒体処理装置１０に送信する。なお、所定のタイミングとは、有価媒体の入金処理を行った操作者（具体的には、複数の入金情報に関連付けられている識別情報に係る操作者）が、有価媒体の入金情報の出力を行うためにある有価媒体処理装置１０の認証部８６により当該操作者の識別情報を認証させたときである。なお、所定のタイミングはこのような例に限定されることはなく、有価媒体の入金処理を行った操作者とは別の管理者が、有価媒体の入金情報の出力を行うために認証部８６により当該管理者の識別情報を認証させたときであってもよく、また、所定のタイミングが所定の時刻であってもよい。そして、複数の入金情報を１つの媒体に記録することを指示する旨の指令がデータ取扱装置３から送信された有価媒体処理装置１０において、同一の操作者の識別情報に対応する複数の入金情報が印字部８８により１枚のレシートに印字されたり、同一の操作者の識別情報に対応する複数の入金情報がリーダライタ９２により表示機能付き記録媒体９６に書き込まれたりするようになる。
【００６３】
このように、データ取扱装置３が各有価媒体処理装置１０とは別に設けられるような変形例に係る有価媒体処理システム１ａでも、データ取扱装置２が親機としての有価媒体処理装置１０に設けられるような有価媒体処理システム１と同様に、同一の識別情報に対応する複数の入金情報が１つの媒体に記録されるため、操作者にとっての利便性を向上させることができるようになる。
【００６４】
また、本実施の形態の有価媒体処理システム１、１ａでは、各有価媒体処理装置１０において有価媒体の入金処理を行う際に、有価媒体の入金情報を他の有価媒体の入金処理に係る有価媒体の入金情報と関連付けるか否かを選択することができるようになっている。具体的には、操作者がある有価媒体処理装置１０において有価媒体の入金処理を行う際に、認証部８６により当該操作者の識別情報を認証させると、操作表示部８２には単独入金および連携入金のうち何れの処理を行うかを操作者に選択させる画面が表示される。そして、操作者が操作表示部８２により単独入金を行うことを選択した場合には、同一の操作者の識別情報に対応する複数の入金情報が１つの媒体に記録されることはなく、単一の有価媒体処理装置１０において有価媒体の入金処理が行われる度に、この入金処理に係る有価媒体の入金情報が印字部８８によりレシートに印字されたりリーダライタ９２により表示機能付き記録媒体９６に書き込まれたりするようになる。一方、操作者が操作表示部８２により連携入金を行うことを選択した場合には、ある有価媒体の入金処理に係る入金情報が、他の有価媒体の入金処理に係る有価媒体の入金情報と関連付けられるようになる。この場合には、上述したように、同一の操作者の識別情報に対応する複数の入金情報が印字部８８により１枚のレシートに印字されたり、同一の操作者の識別情報に対応する複数の入金情報がリーダライタ９２により表示機能付き記録媒体９６に書き込まれたりするようになる。
【００６５】
また、本実施の形態の有価媒体処理システム１、１ａでは、１または複数の有価媒体処理装置１０における有価媒体の入金処理が完了したときに、同一の操作者の識別情報に対応する複数の入金情報がまとめて通信部９０により上位端末やテナントに設けられたコンピュータ等に送信されるようになっていてもよい。この場合には、上位端末やテナントに設けられたコンピュータ等において、同一の操作者の識別情報に対応する複数の入金情報を確認することができるようになるため、印字部８８により複数の入金情報を印字し忘れたり、印字部８８により複数の入金情報が印字されたレシートを取り忘れてしまったりした場合でも、このような印字のし忘れやレシートの取り忘れに気づくことができるようになる。
【００６６】
また、図６に示す有価媒体処理システム１では、複数の有価媒体処理装置１０が親機および子機に区分けされているが、このような態様に限定されることはない。別の例として、複数の有価媒体処理装置１０が親機および子機に区分けされることなく、ある有価媒体処理装置１０において有価媒体の入金処理が行われたときには、認証部８６により認証された操作者の識別情報およびこの識別情報に関連付けられる有価媒体の入金情報がこの有価媒体処理装置１０の記憶部８４に記憶されるとともに他の全ての有価媒体処理装置１０に送信され、この送信された情報が他の全ての有価媒体処理装置１０の記憶部８４に記憶されるようになっていてもよい。この場合には、各々の有価媒体処理装置１０の記憶部８４にそれぞれ複数の入金情報が記憶されるようになるため、同一の識別情報に対応する複数の入金情報を１つの媒体に記録させようとする操作者や管理者は、どの有価媒体処理装置１０でも、認証部８６により操作者や管理者の識別情報を認証させることにより、同一の識別情報に対応する複数の入金情報を１つの媒体に記録させることができるようになる。
【００６７】
また、上記の説明では同じ操作者が複数の有価媒体処理装置１０により有価媒体の入金処理を並列で行ったり、同じ操作者が同一の有価媒体処理装置１０により複数回の有価媒体の入金処理を行ったりした場合について説明したが、１または複数の有価媒体処理装置１０により有価媒体の入金処理を複数回行う主体は一人の操作者に限定されることはない。各有価媒体処理装置１０の認証部８６により認証される情報が、操作者の識別情報ではなく、複数の操作者が属するグループ（企業）の識別情報であってもよい。この場合には、同一企業の複数の操作者が別々に複数の有価媒体処理装置１０で有価媒体の入金処理を並列で行ったり、同一企業の複数の操作者が同一の有価媒体処理装置１０でそれぞれ有価媒体の入金処理を行ったりした場合でも、同一のグループの識別情報に対応する複数の入金情報を１つの媒体に記録させることができるようになる。
【００６８】
以上のように、本実施の形態による有価媒体処理システム１、１ａやこの有価媒体処理システム１、１ａに設けられた有価媒体処理装置１０、ならびにデータ取扱装置２、３によれば、有価媒体の入金情報および認証部８６により認証された識別情報を関連付けて記憶部６、８４に記憶させておき、記憶部６、８４に記憶されている情報に基づいて、同一の識別情報に対応する複数の入金情報を１つの媒体に記録することを指示することにより、操作者や企業等の主体にとっての利便性を向上させることができるようになる。
【００６９】
また、本実施の形態では、上述したように、同一の識別情報に対応する複数の入金情報が記録される媒体は持ち運び可能なもの（例えば、レシート）であり、同一の識別情報に対応する複数の入金情報が１つの媒体に記録される際に、同一の識別情報に対応する複数の入金情報が１つの媒体に印字されるようになっている。この場合には、有価媒体の入金処理が行われる度に入金情報が媒体に印字される場合と比較して、媒体に貼り付ける必要がある収入印紙の枚数を減らすことができるため、収入印紙にかかる費用を低減することができるようになる。また、操作者はレシートを見ることによって複数の入金情報を一目で確認することができるようになる。また、他の例として、同一の識別情報に対応する複数の入金情報が１つの媒体に記録される際に、同一の識別情報に対応する複数の入金情報が１つの媒体（具体的には、表示機能付き記録媒体９６）に記録されるようになっていてもよい。この場合にも、操作者は複数の入金情報を一目で確認することができるようになる。
【００７０】
なお、本発明による有価媒体処理システムや有価媒体処理装置は、上述したような態様に限定されることはなく、様々な変更を加えることができる。
【００７１】
例えば、本発明に係る有価媒体処理装置として、貨幣の処理のみを行う貨幣処理機が用いられてもよい。このような貨幣処理機では紙幣以外の有価媒体（例えば、商品券）の入金処理を行うことができないが、貨幣の入金情報および認証部により認証された識別情報を関連付けて記憶部に記憶させておき、記憶部に記憶されている情報に基づいて、同一の識別情報に対応する複数の入金情報を１つの媒体に記録することを指示することにより、上述した有価媒体処理システム１や有価媒体処理装置１０に係る作用効果と同様の作用効果を奏することができるようになる。また、このような貨幣処理機として、紙幣のみの処理を行うような紙幣処理機や、硬貨のみの処理を行うような硬貨処理機が用いられてもよい。また、本発明に係る有価媒体処理システムにおいて複数の有価媒体処理装置が用いられる際に、複数の種類の有価媒体処理装置から本発明に係る有価媒体処理システムが構成されるようになっていてもよい。例えば、本発明に係る有価媒体処理システムが、紙幣のみの処理を行う紙幣処理機および硬貨のみの処理を行う硬貨処理機からなる２つの種類の有価媒体処理装置から構成されるようになっていてもよい。
【００７２】
また、本発明に係る有価媒体処理装置は、店舗のバックヤード領域である出納室に設置されるものに限定されることはない。本発明に係る有価媒体処理装置が、店舗のフロント領域における直営店やテナントに設置されるようになっていてもよい。
【符号の説明】
【００７３】
１、１ａ  有価媒体処理システム
２、３  データ取扱装置
４      制御部
５      通信部
６      記憶部
１０    有価媒体処理装置
１２    筐体
１４    下部扉
１６    一時保留部用扉
２０    紙葉類処理機構
２２    紙葉類投入部
２３    紙葉類繰出部
２４    紙葉類搬送部
２６    紙葉類識別部
２７    イメージセンサ
２８    消し込み部
３０    リジェクト部
３２    紙葉類集積部
３３    シャッタ
３４    第１の紙葉類一時保留部
３６    第２の紙葉類一時保留部
３８    第１の紙葉類収納カセット
４０    第２の紙葉類収納カセット
５０    硬貨処理機構
５２    硬貨投入部
５４    硬貨搬送部
５６    硬貨識別部
５８    硬貨リジェクトシュート
６０    硬貨リジェクト部
６１    第１の硬貨搬送シュート
６２    第１の硬貨一時保留部
６３    第２の硬貨搬送シュート
６４    第２の硬貨一時保留部
６６    硬貨返却箱
６８    第１の硬貨収納カセット
７０    第２の硬貨収納カセット
７５    規制部
８０    制御部
８２    操作表示部
８４    記憶部
８６    認証部
８６ａ  ＩＣカードリーダ
８８    印字部
９０    通信部
９２    リーダライタ
９４    載置台
９６    表示機能付き記録媒体
９６ａ  表示部
２００  レジ釣銭機
２５０  ＰＯＳレジスタ
【図１】
2018190283.tif 000003
【図２】
2018190283.tif 000004
【図３】
2018190283.tif 000005
【図４】
2018190283.tif 000006
【図５】
2018190283.tif 000007
【図６】
2018190283.tif 000008
【図７】
2018190283.tif 000009
【図８】
2018190283.tif 000010